(57)【要約】      （修正有）【課題】プロペラの形状を従来よりも容易に記憶可能なプロペラゲージを提供する。【解決手段】プロペラの中央部に形成された穴に挿入する挿入部１と、挿入部１と接続されるシャフト部２と、シャフト部２と接続され、プロペラの形状を記憶する形状記憶部と、を備えたプロペラゲージにおいて、形状記憶部は、プロペラに当てるための複数の棒状部材４と、複数の棒状部材４を通すための穴が形成され、複数の棒状部材４を、複数の棒状部材４の軸方向に移動可能にするとともに、軸方向と直交する方向に移動しないように保持する保持部１１，１２と、複数の棒状部材４を保持部１１，１２により保持した状態から軸方向と直交する方向に締め付けることにより、複数の棒状部材４を軸方向に移動しないように固定する固定部５，６と、を備えた。【選択図】図１
2014016331.tif 000002
【特許請求の範囲】
【請求項１】
プロペラの中央部に形成された穴に挿入する挿入部と、
該挿入部と接続されるシャフト部と、
該シャフト部と接続され、前記プロペラの形状を記憶する形状記憶部と、を備えたプロペラゲージにおいて、
前記形状記憶部は、
前記プロペラに当てるための複数の棒状部材と、
該複数の棒状部材を通すための穴が形成され、前記複数の棒状部材を、該複数の棒状部材の軸方向に移動可能にするとともに、該軸方向と直交する方向に移動しないように保持する保持部と、
前記複数の棒状部材を前記保持部により保持した状態から前記軸方向と直交する方向に締め付けることにより、前記複数の棒状部材を前記軸方向に移動しないように固定する固定部と、を備えたことを特徴とするプロペラゲージ。
【請求項２】
請求項１に記載のプロペラゲージにおいて、
前記保持部は、
前記穴が、前記複数の棒状部材に対応して複数、形成されており、これらの複数の穴の前記軸方向断面形状は、前記複数の棒状部材の軸方向断面形状と略同一の形状であることを特徴とするプロペラゲージ。
【請求項３】
請求項１に記載のプロペラゲージにおいて、
前記保持部は、２枚の板状保持部材が前記軸方向に並んで配置されることで構成され、
前記２枚の板状保持部材はそれぞれ、前記穴が、前記複数の棒状部材に対応して複数、形成されており、これらの複数の穴の前記軸方向断面形状は、前記複数の棒状部材の軸方向断面形状と略同一の形状であることを特徴とするプロペラゲージ。
【請求項４】
請求項１〜３の何れかに記載のプロペラゲージにおいて、
前記固定部は、
２枚の板状固定部材が前記軸方向と直交する方向に前記複数の棒状部材を挟むように並んで配置されることで構成され、前記２枚の板状固定部材を前記軸方向と直交する方向に締め付けることにより、前記複数の棒状部材を前記軸方向に移動しないように固定することを特徴とするプロペラゲージ。
【請求項５】
請求項１〜３の何れかに記載のプロペラゲージにおいて、
前記固定部は、
前記挿入部側に配置された第１の板状固定部材と、前記挿入部に対して反対側に配置された第２の板状固定部材と、が前記軸方向に前記複数の棒状部材を挟むように並んで配置され、
前記第１の板状固定部材に固定され、前記第２の板状固定部材に形成された穴を通るボルト部材を備え、
前記第２の板状固定部材を通った前記ボルト部材に締めるためのネジ部材を備え、該ネジ部材を締めることにより、前記第１の板状固定部材及び第２の板状固定部材が前記軸方向と直交する方向に締め付けられ、前記複数の棒状部材を前記軸方向に移動しないように固定することを特徴とするプロペラゲージ。
【請求項６】
請求項１〜５の何れかに記載のプロペラゲージにおいて、
前記シャフト部と前記挿入部に対して反対側に接続される板状接続部材を備え、
前記保持部は、前記板状接続部材又は前記板状接続部材に固定された固定部材に固定され、
前記固定部は、前記板状接続部材又は前記固定部材に固定されることなく配置されることを特徴とするプロペラゲージ。
【発明の詳細な説明】
【技術分野】本発明はプロペラゲージに関する。
【背景技術】
【０００１】競艇（きょうてい）のモーターボートに取り付けられるプロペラは、レース前に加工や修整作業が行われる。このプロペラの翼面の仕上がりをチェックする誤差確認用の測定機器として、従来から、カラーや透明のプラスチック板を削って、金具で固定したプロペラゲージが使われている。なお、競艇は、公営競技（公営ギャンブル）の１つで、モーターボート競走法をはじめとする法律・ルールの下、プロの選手達によって行われるモーターボート競技である。競艇選手はモーターボート競技で勝つことが当然、重要であるが、そのためにはモーターボートのスピードに重大な影響を与えるプロペラ形状が特に重要であり、それぞれの選手は自分好みのプロペラ形状を記憶できるように上記プロペラゲージを使用している。【０００２】本発明の従来技術について、図８を用いて説明する。従来のプロペラゲージによりプロペラの形状を記憶する場合には、プロペラゲージをプロペラの中央部に形成された穴（ボス穴）に挿入して、プロペラの面にプラスチックの板を垂直に固定し、プラスチックの板をやすりで削ってはプロペラに合わせる、という作業を繰り返すことが行われていた。つまりプロペラゲージを構成するプラスチック板と記憶対象のプロペラの面との間の隙間が無くなるように、プラスチック板をやすり等で削る作業である。【０００３】このようなプロペラゲージを用意しておけば、形、大きさが同じプロペラに対しては、記憶したプロペラゲージをプロペラに合わせたうえで、反対側からハンマー等で叩き、同様にプロペラゲージとプロペラとの間の隙間を無くすことで、同一形状のプロペラとすることができる。
【発明の概要】
【発明が解決しようとする課題】
【０００４】しかしながら、上記従来技術のプロペラゲージによると以下の課題があった。たしかに上記した通り、従来のプロペラゲージは、形、大きさが同じプロペラに対しては、プロペラゲージに記憶した形状と同一形状のプロペラとすることができる。しかしながら、異なる形、大きさのプロペラが与えられた場合には、必ずしも記憶したプロペラゲージの形状が最適とは限らないことから、プロペラの形状を変える必要が生じる。つまり、プロペラの形状を変えてはモーターボートに取り付けて試乗して最適なプロペラ形状を探すという作業が必要となるものである。【０００５】このような場合においては、形状を変える前の元々のプロペラ形状の方が良い場合もあり、この元々のプロペラ形状に戻す必要があることがある。あるいは、変える度にプロペラ形状を記憶することで、どのプロペラ形状が最適であるかの試行錯誤を繰り返すことが必要となる。しかしながら、従来技術のプロペラゲージでは、プラスチック板をやすり等で削ることにより記憶するプロペラ形状を変えるものであるため、非常にその作業が煩雑であるという問題があった。また、プラスチック板を削ってしまえば、削った部分は無くなるため、この部分が必要となるようなプロペラ形状を記憶することはできなかった。あるいは、元々のプロペラゲージのプラスチック板よりも大きな大きさが必要となるようなプロペラ形状についても同様に記憶することはできなかった。
そこで本発明は、プロペラの形状を従来よりも容易な作業により記憶することができるプロペラゲージを提供することを目的とする。
【課題を解決するための手段】
【０００６】  上記目的を達成するための本発明の第１の発明は、プロペラの中央部に形成された穴に挿入する挿入部と、該挿入部と接続されるシャフト部と、該シャフト部と接続され、前記プロペラの形状を記憶する形状記憶部と、を備えたプロペラゲージにおいて、前記形状記憶部は、前記プロペラに当てるための複数の棒状部材と、該複数の棒状部材を通すための穴が形成され、前記複数の棒状部材を、該複数の棒状部材の軸方向に移動可能にするとともに、該軸方向と直交する方向に移動しないように保持する保持部と、前記複数の棒状部材を前記保持部により保持した状態から前記軸方向と直交する方向に締め付けることにより、前記複数の棒状部材を前記軸方向に移動しないように固定する固定部と、を備えたことを特徴とする。
【発明の効果】
【０００７】  本発明によれば、プロペラの形状を従来よりも容易な作業により記憶することができるプロペラゲージを提供することが可能となる。なお、本発明の上記構成以外のその他の構成及び効果については、以下の実施形態の中で詳細に説明する。
【図面の簡単な説明】
【０００８】
【図１】本実施例のプロペラゲージの概要を説明するための図であり、挿入部１と反対側から見た図である。
【図２】図１から一部の部品を取り外して示した図である。
【図３】図１から一部の部品を取り外して示した図である。
【図４】図１から一部の部品を取り外して示した図である。
【図５】本実施例のプロペラゲージの概要を説明するための図であり、挿入部１の側から見た図である。
【図６】板状保持部材及び板状固定部材の構造を説明するための図である。
【図７】板状接続部材３の構造を説明するための図である。
【図８】従来のプロペラゲージを説明するための図である。
【発明を実施するための形態】
【０００９】  以下、本発明の実施例について図１〜７を用いて説明する。
【実施例】まず図１〜５を用いて本発明のプロペラゲージの実施例について説明する。本実施例のプロペラゲージは図示していないが、競艇（きょうてい）のモーターボートに取り付けられるプロペラ用のものであり、レース前にプロペラ形状の加工や修整作業を行うためのものである。プロペラの中央部に形成された穴に挿入する挿入部１と、挿入部１と接続されるシャフト部２と、シャフト部２と接続され、プロペラの形状を記憶する形状記憶部と、を備えている。ここで、プロペラゲージは挿入部１をプロペラに挿入したうえで、形状記憶部を所望の位置に移動させ、当該位置のプロペラ形状を記憶する。選手によって、記憶する位置は様々であるが、多くの選手が１０箇所以上の位置のプロペラ形状を記憶することで、最適なプロペラ形状を決めている。【００１０】  図１は本実施例のプロペラゲージを挿入部１と反対側から見た図面であり、図２〜４は内部構造を明確にするために、図１の一部の部品を取り外して示したものである。また、図５は本実施例のプロペラゲージを挿入部１の側から見た図面を示す。形状記憶部は、プロペラに当てるための複数の棒状部材４と、複数の棒状部材４を通すための穴が形成され、複数の棒状部材４を、複数の棒状部材４の軸方向（図１における上下方向）に移動可能にするとともに、該軸方向と直交する方向に移動しないように保持する保持部を備えている。【００１１】  具体的には前記保持部は、穴が、複数の棒状部材４に対応して複数、形成されており、これらの複数の穴の軸方向断面形状は、複数の棒状部材の軸方向断面形状と略同一の形状となっている。
図６の（Ａ）（Ｂ）はこの保持部を構成する板状保持部材１１、１２を示しており、保持部は、２枚の板状保持部材１１、１２が棒状部材４の軸方向に並んで配置されることで構成されるものである。また２枚の板状保持部材１１、１２はそれぞれ、図６の（Ａ）の１４、１６、また図６の（Ｂ）の１９、２０に示すように、穴が、複数の棒状部材４に対応して複数、形成されており、これらの複数の穴の軸方向断面形状は、複数の棒状部材４の軸方向断面形状と略同一の形状となっている。なお、本実施例ではこれらの複数の穴の軸方向断面形状、及び、複数の棒状部材４の軸方向断面形状として円形状のものを示しているが、これに限定されるものではなく、四角形状あるいは三角形状のようにしても良い。【００１２】  また２枚の板状保持部材１１、１２に形成された複数の穴（１４、１６、１９、２０）の軸方向断面形状は、複数の棒状部材４の軸方向断面形状よりも若干大きくなっており、これにより、複数の棒状部材４を移動可能としているものである。このように２枚の板状保持部材１１、１２に複数の穴（１４、１６、１９、２０）を形成して、複数の棒状部材４を保持することで複数の棒状部材４の軸方向（図１における上下方向）に移動可能にするとともに、該軸方向と直交する方向（図６（Ａ）（Ｂ）の上下方向、あるいは左右方向）に移動しないように保持することが可能となり、プロペラに対してプロペラゲージの一応の位置決めを可能とするものである。【００１３】  本実施例のプロペラゲージの形状記憶部は、上記説明した保持部に加え、さらに複数の棒状部材４を保持部により保持した状態から軸方向と直交する方向に締め付けることにより、複数の棒状部材４を前記軸方向に移動しないように固定する固定部を備えている。
具体的に説明すると、この固定部は、２枚の板状固定部材５、６が棒状部材４の軸方向と直交する方向に複数の棒状部材４を挟むように並んで配置されることで構成されている。そして、これらの２枚の板状固定部材５、６を棒状部材４の軸方向と直交する方向に締め付けることにより、複数の棒状部材４を前記軸方向に移動しないように固定するものである。【００１４】  ここで挿入部１の側に配置された板状固定部材５を第１の板状固定部材５と呼び、挿入部１に対して反対側に配置された板状固定部材６を第２の板状固定部材６と呼ぶと、これらの第１の板状固定部材５及び第２の板状固定部材６が棒状部材４の軸方向に複数の棒状部材４を挟むように並んで配置される。そして、第１の板状固定部材５に固定され、第２の板状固定部材６に形成された穴を通る図示しないボルト部材を備え、第２の板状固定部材６を通ったボルト部材に締めるためのネジ部材８を備え、該ネジ部材８を締めることにより、第１の板状固定部材５及び第２の板状固定部材６が前記軸方向と直交する方向に締め付けられ、複数の棒状部材４を棒状部材の軸方向に移動しないように固定するものである。【００１５】  なお、図６（Ｃ）、（Ｄ）はそれぞれ第１の板状固定部材５、第２の板状固定部材６を棒状部材４の軸方向から見た図面であり、２１〜２６は上記したボルト部材を通すための穴を示している。本実施例では図１、図６（Ｃ）、（Ｄ）に示すように３箇所にボルト部材を通したうえで、ネジ部材８を締めることで棒状部材４の固定が可能としている。よって、使用者はプロペラ形状に合うように棒状部材を上下方向に移動させたうえで、このネジ部材８を締めることで棒状部材４の固定が可能なので、従来に比べて容易にプロペラ形状を記憶することができる。【００１６】  本実施例のプロペラゲージは、シャフト部２と挿入部１に対して反対側に接続される板状接続部材３を備えている。これらのシャフト部２、挿入部１、板状接続部材３はアクリルで構成することにより、容易にシャフト部２と板状接続部材３を溶接できるので、安価に製造することが可能であり、また軽量化を図ることが可能となる。基本的に使用者は片手でプロペラゲージを支えたうえで、もう一方での手で記憶したプロペラ形状となるようにハンマー等を使うことになるため、より軽量化を図ることが望ましいものである。【００１７】  ２枚の板状保持部材１１、１２により構成される保持部は、板状接続部材３又は板状接続部材３に固定された固定部材７に固定される。なお本実施例ではこの固定部材７は板状接続部材３の挿入部１と反対側の四隅に４つ配置されている。一方で第１の板状固定部材５及び第２の板状固定部材６から構成される固定部は、板状接続部材３又は板状接続部材３に固定された固定部材７に固定されることなく配置されることが本実施例の特徴となる。【００１８】  第１の板状固定部材５及び第２の板状固定部材６はその内側に、つまり棒状部材４を挟む面にゴムやスポンジ等の弾性部材を備えており、棒状部材４にはこの弾性部材が接するようにすることで、固定部のネジ部材８を締めた際に棒状部材４が破損することを防止するようにしている。あるいは、第１の板状固定部材５及び第２の板状固定部材６そのもの��弾性体で構成するようにしても構わない。【００１９】  ここで第１の板状固定部材５を板状接続部材３又は板状接続部材３に固定された固定部材７に固定したうえで、第２の板状固定部材６と棒状部材を挟み込んで締め付けることを考えると、第１の板状固定部材５は固定されているため、第２の板状固定部材６だけが第１の板状固定部材５の方向へ動くことになる。そうすると、第１の板状固定部材５の弾性部材が一方的に第１の板状固定部材５の方向へ縮むことになるため、棒状部材４を降ろして位置決めしたはずが、その位置がずれてしまうという問題があった。なお、ここでは第１の板状固定部材５を板状接続部材３又は板状接続部材３に固定された固定部材７に固定した場合について説明したが、第１の板状固定部材５を除いて板状接続部材３により第１の板状固定部材５の役割を果たすようにした場合においても同様の問題があることを本発明者は発見したものである。【００２０】  そこで本実施例においては、上記したように、第１の板状固定部材５及び第２の板状固定部材６から構成される固定部は、板状接続部材３又は板状接続部材３に固定された固定部材７に固定されることなく配置されるようにしたものである。そのうえで上記したように、第１の板状固定部材５に固定され、第２の板状固定部材６に形成された穴を通る図示しないボルト部材を備え、第２の板状固定部材６を通ったボルト部材に締めるためのネジ部材８を備え、該ネジ部材８を締めることにより、第１の板状固定部材５及び第２の板状固定部材６が前記軸方向と直交する方向に締め付けられ、複数の棒状部材４を棒状部材の軸方向に移動しないように固定する。【００２１】  このようにすることで、第１の板状固定部材５及び第２の板状固定部材６の双方が内側（複数の棒状部材４の側）に移動しつつ締め付けるため、第１の板状固定部材５及び第２の板状固定部材６のどちらかの側にずれることが無くなるので、上記したような位置決めのずれを防止することが可能となる。
なお、図７はこの板状接続部材３の構成を説明するための図面であり、四隅の３０は固定部材７を止めるネジを通すための穴である。また図１で図示しないボルト部材は、第１の板状固定部材５に挿入部１の側からナットを通すことで固定されるが、このときナットの分だけ挿入部１の側に出っ張るため、この出っ張り分を通すために、板状接続部材３に穴２７、２８、２９が形成されている。【００２２】  また板状接続部材３は、複数の棒状部材４に接するように配置された弾性部材１０を挿入部１と反対側に備えており、弾性部材１０と複数の棒状部材４が接することにより、複数の棒状部材４が落下しないようにしている。たとえば複数の棒状部材４の上部を大きくして板状保持部材１１に形成された穴１９、２０を通らないようにすることで落下防止を図ること考えられる。しかし、このように複数の棒状部材４の上下の動きがしやすい状態とすると、一部の棒状部材４がプロペラよりも外側に位置した場合に、この一部の棒状部材４がプロペラより下側に落ちるために、プロペラゲージを内側に動かすことができなくなる。つまり、下側に位置する一部の棒状部材４がプロペラとぶつかるのでプロペラゲージを内側に動かすことができないものである。【００２３】  そこで本実施例においては、上記した弾性部材１０を備えることにより、複数の棒状部材４を上下に動かすことを可能としつつ、基本的には弾性部材４と接するために上下に動かない状態となることで、上記したようなプロペラゲージを内側に動かすことができなくなるような不都合を解消し、操作性を向上させるものである。もちろん、棒状部材４の一部に板状保持部材１１、１２に形成された穴よりも大きな箇所を形成することで確実な落下防止を図るようにするとなお良い。【００２４】  また、本実施例の形状記憶部は、下部の中央部に、プロペラ方向に向かうように配置された棒状部材４よりも太い棒状部材９を備えている。具体的には、形状記憶部を構成する板状保持部材１２の下側の中央部に棒状部材９を備えたものである。この棒状部材９は棒状部材４と異なり、上下に移動可能なものではなく、プロペラゲージの位置決めをする際の目印としての意味を持つ。この棒状部材９を備えたことで位置決め作業が容易に行えるため、操作性を向上させることができる。【００２５】  本実施例の棒状部材４を構成する素材としては、スチレンやアクリル、あるいは竹ひご、竹ぐしなどが考えられるが、これに限定されるものではない。なお、棒状部材４は別部品として、プロペラゲージの使用者が後から棒状部品４を挿入したうえで使用できるようにしても良い。たとえば楊枝を棒状部品４として後から挿入して使用するようにすれば、プロペラの形状調整の際に楊枝が破損したとしても楊枝を用意さえすれば、簡単に作業を継続することができる。【００２６】  また、棒状部材４のプロペラに接する下部の軸方向断面形状としては、円形状や三角形状、又は四角形状としておけば、隣の棒状部材４との間に隙間がなくなるため、使用者としては作業がしやすい。つまり、従来のプロペラゲージはアクリル板により線でプロペラと接していたため、使用者は作業する際にプロペラゲージと反対側のプロペラは見えなかった。ところが、本実施��のプロペラゲージの場合に棒状部材４のプロペラに接する下部の形状を複数の棒状部材４により構成される面に直交する方向から見て隣通しの棒状部材４の間に隙間があるような形状（たとえば三角形状や丸みを持った形状）とすると、上記した従来との見え方が異なるため、使用者にとってやりにくいことが分かった。【００２７】  したがって、複数の棒状部材４のプロペラに接する下部の形状としては、複数の棒状部材４により構成される面に直交する方向から見て隣通しの棒状部材４の間に隙間がなくなるように、四角形状とすることが望ましい。さらに複数の棒状部材４により構成される面方向から見て、プロペラに対して線で接するように、複数の棒状部材４の下部が尖るように構成すると、より精度良くプロペラ形状の記憶が可能である。
【符号の説明】
【００２８】  １…挿入部、２…シャフト部、３…板状接続部材、４…棒状部材、５・６…板状固定部材、７…固定部材、８…ネジ部材、９…太い棒状部材、１０…弾性部材、１１・１２…板状保持部材。
【図１】
2014016331.tif 000003
【図２】
2014016331.tif 000004
【図３】
2014016331.tif 000005
【図４】
2014016331.tif 000006
【図５】
2014016331.tif 000007
【図６】
2014016331.tif 000008
【図７】
2014016331.tif 000009
【図８】
2014016331.tif 000010